(57)【要約】【課題】  補助電源装置に使用されるコンデンサの電解液の漏洩を防止することができる画像形成装置を提供する。【解決手段】  定着部熱源へ電力を供給する補助電源装置８内部にコンデンサ１を有する補助電源装置ユニット１１ａを備えた画像形成装置において、補助電源装置８を保持・格納する筐体３内に、液体吸収部材４を実装した。【選択図】  図２
2005189337.tif 000002
【特許請求の範囲】
【請求項１】
定着部熱源へ電力を供給する補助電源装置内部にコンデンサを有する補助電源装置ユニットを備えた画像形成装置において、補助電源装置を保持・格納する筐体内に、液体吸収部材を実装したことを特徴とする画像形成装置。
【請求項２】
定着部熱源へ電力を供給する補助電源装置内部にコンデンサを有する補助電源装置ユニットを備えた画像形成装置において、補助電源装置を保持・格納する筐体内下部に液体収集ケーを配置し、かつ、液体収集ケースを交換するための開閉蓋を筐体側板に設けたことを特徴とする画像形成装置。
【請求項３】
請求項２記載に記載の液体収集ケース内に、請求項１に記載の液体吸収部材を実装したことを特徴とする画像形成装置。
【発明の詳細な説明】
【技術分野】
【０００１】
本発明は、定着部の補助電源装置として、コンデンサを利用する画像形成装置に関する。
【背景技術】
【０００２】
図１は補助電源装置を有する画像形成装置のレイアウト図である。周知の内部構成を有する装置本体Ａの側面に補助電源装置ユニット１１が備えられている。補助電源装置ユニット１１は、内部に補助電源装置８を有し、コネクタ１１−１で装置本体Ａと電気的に接続されている。また下部には移動可能とするためにキャスタ１１−２が取り付けられている。後述するように補助電源装置８はコンデンサを利用している。
関連する技術として、例えば特許文献１〜４が知られている。
【特許文献１】特開平０５−２７３８８８号公報
【特許文献２】特開２０００−３１５５６７公報
【特許文献３】特開２００２−７５８０６公報
【特許文献４】特開２００1−６６９２６公報
【発明の開示】
【発明が解決しようとする課題】
【０００３】
補助電源装置に使用されるコンデンサにおいては、電解液が使用されているが、コンデンサの使用上の誤りや部品不良、及び外部からの衝撃等により破裂・破壊した場合、使用されている電解液が漏れ出し、画像形成装置内や画像形成装置が設置されている建物内を汚染する欠点があった。
本発明は、補助電源装置に使用されるコンデンサの電解液の漏洩を防止することができる画像形成装置を提供することを目的とする。
【課題を解決するための手段】
【０００４】
上記目的を達成するために、請求項１記載の発明は、定着部熱源へ電力を供給する補助電源装置内部にコンデンサを有する補助電源装置ユニットを備えた画像形成装置において、補助電源装置を保持・格納する筐体内に、液体吸収部材を実装した画像形成装置を最も主要な特徴とする。
請求項２記載の発明は、定着部熱源へ電力を供給する補助電源装置内部にコンデンサを有する補助電源装置ユニットを備えた画像形成装置において、補助電源装置を保持・格納する筐体内下部に液体収集ケーを配置し、かつ、液体収集ケースを交換するための開閉蓋を筐体側板に設けた画像形成装置を最も主要な特徴とする。
請求項３記載の発明は、請求項２記載の画像形成装置において、液体収集ケース内に液体吸収部材を実装した画像形成装置を主要な特徴とする。
【発明の効果】
【０００５】
本発明によれば、補助電源装置に使用されるコンデンサの電解液の漏洩を防止することができるので、補助電源装置ユニットから電解液が流れ出して、画像形成装置内や建物内、及び人体や着物等を汚染してしまうのを防止することができる。
【発明を実施するための最良の形態】
【０００６】
以下、本発明の実施の形態を図面に従って説明する。
図２は本発明の第１の実施形態に係る画像形成装置における補助電源装置ユニットの構成図である。補助電源装置ユニット１１ａ内の補助電源装置８は、制御基板２上にコンデンサ(キャパシタ)１を有する。補助電源装置８は筐体３内に実装されている。そして筐体３内の側壁面に、弾性を有し且つ給液性を有した液体吸収部材４を接着材もしくは粘着材等にて貼り付ける。符号９は補助電源装置８の実装方向の矢印を示す。
このような構成を採用することにより、コンデンサ１から漏れ出した電解液は、液体吸収部材４上に落下し、液体吸収部材４にて吸着・保持される。また、液体吸収部材４によって外部からの衝撃等を吸収することができ、コンデンサ１を保護することができる。ここで液体吸収部材４はスポンジや布等、液体を吸収する材質すべてを言う。また、液体吸収部材４に高分子吸収体等、液体の吸収を促進・補強する部材を加味しても良い。
【０００７】
図３は本発明の第２の実施形態に係る画像形成装置における補助電源装置ユニットの構成図である。図２と同一個所には同一符号を付して重複する説明は省略する。
補助電源装置ユニット１１ｂにおいて、上面中央に液体収集口７−１と、その液体収集口７−１に向かって上面の各端部から傾斜面７−２が設けられた液体収集ケース７を、補助電源装置８を実装する筐体３ａ内下部に設置する。また、筐体３ａの側壁には、液体収集ケース７を出し入れするための開口部３ａ−１と、その開口部３ａ−１を塞ぐための開閉蓋５(矢印６方向へ開閉するように下端縁を支持されている)が設けられている。
このような構成を採用することにより、コンデンサ１から漏れ出した電解液は、一旦液体収集ケース７上面に落下し、上面に設けられた傾斜面７−２を流れ落ちて、液体収集口７−１から液体収集ケース７内へ落下・保持される。また、液体収集ケース７交換時は、開閉蓋５を開き、開口部３ａ−１から取り外し及び再設置するようになっているので、補助電源装置ユニット１１ｂを分解することなく、液体収集ケース７のみ容易に交換することができる。
仮に、漏れだした電解液の量が多い場合であっても、外部への漏れ出しを確実に防止できる。
図４は本発明の第３の実施形態に係る画像形成装置における補助電源装置ユニットの構成図である。図２、図３と同一個所には同一符号を付して重複する説明は省略する。
この実施形態の特徴は、図３の液体収拾ケース７に、液体吸収部材４を組み合わせ使用するようにした点にある。
即ち、補助電源装置ユニット１１ｃにおいて、液体収集ケース７内の底面に、液体吸収部材４を設置する。以上により、液体収集口７−１から液体収集ケース７内へ落下した電解液は、液体吸収部材４にて吸着・保持される。
液体収拾ケース７内に流下してきた液体を単に貯めるだけでなく、液体球種部材４によって保持するので、液体がケース外に跳ね出る等の不具合もなくなる。
【図面の簡単な説明】
【０００８】
【図１】補助電源装置を有する画像形成装置のレイアウト図である。
【図２】本発明の第１の実施形態に係る画像形成装置における補助電源装置ユニットの構成図である。
【図３】本発明の第２の実施形態に係る画像形成装置における補助電源装置ユニットの構成図である。
【図４】本発明の第３の実施形態に係る画像形成装置における補助電源装置ユニットの構成図である。
【符号の説明】
【０００９】
１  コンデンサ、２  制御基板、３  筐体、４  液体吸収部材、８  補助電源装置、１１ａ  補助電源装置ユニット
【図１】
2005189337.tif 000003
【図２】
2005189337.tif 000004
【図３】
2005189337.tif 000005
【図４】
2005189337.tif 000006